(57)【要約】      （修正有）【課題】庫内の実効的内容積を減少させることなしに、貯蔵品によって阻害されない冷気循環通風路を確保し、併せてコストの低減化を図る。【解決手段】前面扉３を配した断熱筐体になる本体キャビネット１の頂部に冷却ユニット（冷凍機）２を搭載し、該冷却ユニットを経て庫内の貯蔵室４に冷気を循環送風して貯蔵品５を保冷するようにした保冷庫で、前記断熱筐体を、外パネル６ａと内パネル６ｂの間に断熱材６ｃを充填した断熱壁６で構成したものにおいて、前記断熱筐体の少なくとも左右および背面の断熱壁の内パネルを、庫内冷気の通風方向に沿って凹凸の梁形状が上下に延在するコルゲートパネルで構成し、積み上げ収納した貯蔵品５が荷擦れして庫内壁面に片寄りした場合でも、コルゲートパネルの凹溝形状で貯蔵品との間に冷気の通風路となる隙間ｇを確保して庫内全域で貯蔵品を一様に保冷できるようにする。【選択図】        図１
2007078229.tif 000002
【特許請求の範囲】
【請求項１】
前面に扉を配した断熱筐体になる本体キャビネットに冷却ユニットを搭載し、該冷却ユニットを経て本体キャビネットの庫内貯蔵室に冷気を循環送風して貯蔵室内に収納した貯蔵品を保冷するようにした保冷庫であり、前記断熱筐体を、外パネルと内パネルの間に断熱材を充填した断熱壁で構成したものにおいて、
前記断熱筐体の少なくとも左右および背面の断熱壁について、その内パネルを断面波形のコルゲートパネルで構成したことを特徴とする保冷庫。
【請求項２】
請求項１記載の保冷庫において、冷却ユニットを頂部に載置した本体キャビネットに対し、その断熱筐体を構成する断熱壁の内パネルを、庫内冷気の通風方向に沿って凹凸の梁形状が上下に延在するコルゲートパネルで構成したことを特徴とする保冷庫。
【発明の詳細な説明】
【技術分野】
【０００１】
本発明は、米，野菜などの農産物の保冷に適用する保冷庫に関し、詳しくはその断熱筐体の構造に係わる。
【背景技術】
【０００２】
頭記の農産物保冷庫として、前面に扉を備えた断熱筐体になるキャビネットの頂部に冷却ユニット（冷凍機）を搭載した構成の保冷庫が知られており（例えば、特許文献１参照）、その従来構成を図２に示す。
図２（ａ），（ｂ）において、１は前面開放の箱形断熱筐体になる本体キャビネット、２は本体キャビネット１の頂部に設置した冷却ユニット（冷凍機）、３は本体キャビネット１の前面に配した観音開き式扉、４は庫内の貯蔵室であり、貯蔵室４には貯蔵品５（例えば袋詰めした米）を図示のように積み上げて収納，保管する。また、本体キャビネット１の断熱筐体は、その上下，左右および背面が内外のパネル（鋼板製）の間に断熱材（ウレタンなどの発泡樹脂）を充填した構造の断熱壁６で構成されている。
上記構成の保冷庫で保冷運転時には、冷却ユニット２に内蔵した冷凍機のエバポレータで冷却した冷気を本体キャビネット１の庫内貯蔵室４に向け図示矢印のように循環送風して貯蔵品５を保冷する。
【０００３】
この場合に、貯蔵室４に多量の貯蔵品５を積み上げ収納すると、荷擦れによって貯蔵品５が庫内の冷気通風経路を塞いで冷気の循環通風を阻害し、そのために貯蔵品５が一様に保冷されなくなる（冷却むら）ことがある。そこで、従来の保冷庫では、本体キャビネット１の断熱筐体に対して、その庫内側の左右側面および背面に図示のようなポスト（梁材）７を適宜な間隔で上下方向に設け、さらに庫内底部には簀の子８を敷設して庫内に積み上げ収納した貯蔵物５が荷擦れした場合でも、前記ポスト７と簀の子８により断熱壁６の内壁面と貯蔵物５との間に隙間ｇを確保して庫内全域に冷気の循環通風を維持するようにしている。
【特許文献１】特開２００２−１３０８８８号公報
【発明の開示】
【発明が解決しようとする課題】
【０００４】
ところで、図２に示した従来構造の貯蔵庫では次記のような問題点がある。
（１）断熱筐体の壁面に追加装備したポスト７が庫内側に向けて迫り出すために、保冷庫の実効的な庫内容積が制約を受けるようになる。
（２）ポスト７の配列間隔が大きいと、内容量の小さな袋詰め貯蔵品はポスト７の拘束を受けずに、荷擦れによって直接断熱筐体の壁面に片寄りして冷気の循環通風路を塞ぐことがある。
（３）また、ポスト７の配列ピッチを小さくすると、それだけポストの設置本数，組立工数が増えて製造コストを押し上げる。
本発明は上記の点に鑑みなされたものであり、その目的は前記課題を解決し、庫内の実効的な内容積を減少させることなしに、庫内には貯蔵品によって阻害されない冷気循環通風路を確保し、併せて従来構造と較べてコストの低減化が図れるように改良した保冷庫を提供することにある。
【課題を解決するための手段】
【０００５】
上記目的を達成するために、本発明によれば、前面に扉を配した断熱筐体になる本体キャビネットに冷却ユニットを搭載し、該冷却ユニットを経て本体キャビネットの庫内貯蔵室内に冷気を循環送風して貯蔵室内に収納した貯蔵品を保冷するようにした保冷庫であり、前記断熱筐体を、外パネルと内パネルの間に断熱材を充填した断熱壁で構成したものにおいて、
前記断熱筐体の少なくとも左右および背面の断熱壁について、その内パネルを断面波形のコルゲートパネルで構成するものとし（請求項１）、その具体的な態様として、前記冷却ユニットを頂部に搭載した本体キャビネットに対し、その断熱筐体を構成する断熱壁の内パネルを、庫内冷気の通風方向に沿って凹凸の梁形状が上下に延在するコルゲートパネルで構成する（請求項２）。
【発明の効果】
【０００６】
上記のように断熱壁の内パネルにコルゲートパネルを採用することにより、従来のように本体キャビネットの庫内側に迫り出して複数本のポスト（梁材）を追加装備することなく、かつ庫内に収納する貯蔵品の形状，サイズに関係なしに、コルゲートパネルの凹面を導風路として庫内全域に冷気通風路を確保し、貯蔵品を冷却むらなしに一様に保冷することができる。
また、庫内側の壁面にポストを敷設した従来構造と較べて貯蔵品を収納する庫内の実効的な内容積が拡大し、かつ組立工数も削減して製作コストの低減化が図れる。
【発明を実施するための最良の形態】
【０００７】
以下、本発明の実施の形態を図１（ａ）〜（ｃ）示す実施例に基づいて説明する。なお、図１（ａ）は扉を外した保冷庫の庫内正面図、図１（ｂ）は（ａ）における矢視Ｘ−Ｘ断面図，図１（ｃ）は断熱壁の拡大断面図であり、実施例の図中で図２に対応する部材には同じ符号を付してその説明は省略する。
すなわち、図示実施例においては、キャビネット本体１の断熱筐体を構成する断熱壁６が、図１（ｃ）で示すように平坦な鋼板の外パネル６ａと、断面波形のコルゲートパネル６ｂの鋼板製内パネルと、外パネル６ａとコルゲートパネル６ｂとの間に充填した断熱材（発泡樹脂）６ｃからなる。ここで、コルゲートパネル６ｂは、凹凸状の梁形状が図１（ａ）の矢印で表す冷気の通風方向に沿って上下に向けて延在するように形成されており、その波形の配列ピッチも貯蔵品５の外形サイズに較べて短小に設定されている。
【０００８】
上記の構成により、本体キャビネット１の貯蔵室内に貯蔵品５を積み上げ収納した保管状態では、図１（ｂ），（ｃ）で示すように荷擦れした貯蔵品５が断熱筐体の内壁面に片寄りした場合でも、貯蔵品５と断熱壁６のコルゲートパネル６ｂとの間には上下方向に延在するコルゲートの凹溝により隙間ｇが確保され、この隙間ｇを通して庫内全域に冷気を一様に循環送風することができる。
【図面の簡単な説明】
【０００９】
【図１】本発明の実施例に係わる保冷庫の構成図で、（ａ）は前面扉を外した庫内の正面図、（ｂ）は（ａ）の矢視Ｘ−Ｘ断面図，（ｃ）は（ｂ）における断熱壁の拡大断面図
【図２】従来における保冷庫の構成図で、（ａ）は前面扉を外した庫内の正面図、（ｂ）は（ａ）の矢視Ｘ−Ｘ断面図
【符号の説明】
【００１０】
１    キャビネット本体
２    冷却ユニット
３    扉
４    貯蔵室
５    貯蔵品
６    断熱壁
６ａ  外パネル
６ｂ  コルゲートパネル（内パネル）
６ｃ  断熱材
【図１】
2007078229.tif 000003
【図２】
2007078229.tif 000004